(57)【要約】【課題】リチウムイオン電池１の充放電と、リチウムイオン電池１の昇温とを同時に行えるリチウムイオン電池構造を提供することを目的とする。【解決手段】可撓性を有する正極板８、セパレータ６、及び負極板７を一体的に巻き回したリチウムイオン電池１のリチウムイオン電池構造であって、リチウムイオン電池１が、正極板８または／および負極板７に巻き回された発熱板３を備え、発熱板３が、可撓性、及び高い抵抗値を有する導電性の発熱板本体３１と、発熱板本体３１の一端に設けた正極端子３２と、発熱板本体３１の他端に設けた負極端子３３とで構成され、略平板状に展開した状態における発熱板本体３１の展開形状が、幅方向Ｙに沿った辺が長い平面視略矩形の矩形部３１ａを複数有するつづら折り形状に形成されたことを特徴とする。【選択図】図１
2018147704.tif 000002
【特許請求の範囲】
【請求項１】
可撓性を有する正極板、セパレータ、及び負極板を一体的に巻き回したリチウムイオン電池のリチウムイオン電池構造であって、
前記リチウムイオン電池が、
前記正極板または／および前記負極板に巻き回された発熱板を備え、
該発熱板が、
可撓性、及び高い抵抗値を有する導電性の発熱板本体と、
該発熱板本体の一端に設けた正極端子と、
前記発熱板本体の他端に設けた負極端子とで構成され、
略平板状に展開した状態における前記発熱板本体の展開形状が、
巻き回される方向に沿った辺が長い平面視略矩形の矩形部を複数有するつづら折り形状に形成された
リチウムイオン電池構造。
【請求項２】
前記発熱板の前記発熱板本体が、ステンレス箔で構成された
請求項１に記載のリチウムイオン電池構造。
【発明の詳細な説明】
【技術分野】
【０００１】
この発明は、例えば低温環境下において、リチウムイオン電池の内部から加熱して昇温させるようなリチウムイオン電池構造に関する。
【背景技術】
【０００２】
電源としてのリチウムイオン電池は、環境温度の影響を受け易く、特に低温環境下では、その出力特性が低下することが知られている。そこで、低温環境下において、リチウムイオン電池を外部から加熱する、あるいはリチウムイオン電池を内部から加熱することで、出力特性を改善する技術が提案されている。
【０００３】
リチウムイオン電池を外部から加熱する技術として、例えば、特許文献１には、整列配置された複数の電池セルと、電池セルの外周面に対して面接触させたシート状の発熱板とを備えた電池パックが記載されている。これにより、特許文献１の電池パックは、外部から複数の電池セルを一度に加熱して、複数の電池セルを短時間でかつ均一に昇温できるとされている。
【０００４】
あるいは、特許文献２には、複数の二次電池が載置固定される第２収容部材の底部に、第１ヒータユニット、及び第２ヒートユニットを備えたヒータ付電池構造体が記載されている。これにより、特許文献２のヒータ付電池構造体は、外部から複数の二次電池を一度に加熱して、複数の二次電池を昇温できるとされている。
【０００５】
一方、リチウムイオン電池を内部から加熱する技術として、例えば、従来例におけるリチウムイオン電池内部の外観斜視図を示す図６のように、渦巻状に巻き回された正極板５１、セパレータ５２、及び負極板５３と、これを一体的に覆う発熱板５４とを備えたリチウムイオン電池５０がある。
【０００６】
このリチウムイオン電池５０の発熱板５４は、高い抵抗値、及び可撓性を有する金属製で、展開形状が略矩形のシート状に形成されている。このため、発熱板５４に電流を流すと、発熱板５４は、電流を熱エネルギーに変換して、変換した熱エネルギーによってリチウムイオン電池５０を内部から加熱することができる。
【０００７】
しかしながら、この場合、従来例における発熱板５４に流れる電流の流れＡ、及び磁界Ｄを説明する説明図を示す図７のように、発熱板５４を流れる電流の流れＡは、リチウムイオン電池５０の周方向に沿った流れとなる。この発熱板５４を流れる電流によって、リチウムイオン電池５０には、図７に示すように、上下方向Ｘに沿った磁界Ｄが発生する。
【０００８】
このため、リチウムイオン電池５０の電力によって動作する装置をリチウムイオン電池５０に接続した場合、正極板５１と負極板５３との間を移動する荷電粒子であるリチウムイオンが、ローレンツ力の影響を受けて、その移動が阻害されることになる。
【０００９】
このように加熱のための発熱板５４をリチウムイオン電池５０に内蔵した場合、リチウムイオン電池５０の充放電と、リチウムイオン電池５０の昇温とを同時に行うことが困難であるという問題があった。
【先行技術文献】
【特許文献】
【００１０】
【特許文献１】特開２０１２−２４３５３５号公報
【特許文献２】特開２００８−１０３２０７号公報
【発明の概要】
【発明が解決しようとする課題】
【００１１】
本発明は、上述の問題に鑑み、リチウムイオン電池の充放電と、リチウムイオン電池の昇温とを同時に行えるリチウムイオン電池構造を提供することを目的とする。
【課題を解決するための手段】
【００１２】
この発明は、可撓性を有する正極板、セパレータ、及び負極板を一体的に巻き回したリチウムイオン電池のリチウムイオン電池構造であって、前記リチウムイオン電池が、前記正極板または／および前記負極板に巻き回された発熱板を備え、該発熱板が、可撓性、及び高い抵抗値を有する導電性の発熱板本体と、該発熱板本体の一端に設けた正極端子と、前記発熱板本体の他端に設けた負極端子とで構成され、略平板状に展開した状態における前記発熱板本体の展開形状が、巻き回される方向に沿った辺が長い平面視略矩形の矩形部を複数有するつづら折り形状に形成されたことを特徴とする。
【００１３】
上記リチウムイオン電池は、略円柱状のリチウムイオン電池、略箱型形状のリチウムイオン電池などとすることができる。  
正極板または／および負極板に巻き回されたとは、正極板または／および負極板に対して直接的、または間接的に巻き回された状態のことをいう。さらに、正極板、セパレータ、及び負極板を一体的に巻き回した巻回体に対して、巻回体の外周を覆うように巻き回した状態、あるいは正極板、セパレータ、及び負極板に重ね合せて一体的に巻き回された状態のことをいう。  
上記発熱板本体は、銅製やアルミ合金製の金属箔に比べて高い抵抗値と、可撓性を有する金属製箔であって、例えばステンレス箔などとする。
【００１４】
この発明により、リチウムイオン電池の充放電と、リチウムイオン電池の昇温とを同時に行うことができる。  
具体的には、発熱板本体が高い抵抗値を有するため、発熱板本体に電流を流すと、発熱板本体は、電流を熱エネルギーに変換して、正極板または／および負極板を加熱することができる。
【００１５】
さらに、発熱板本体がつづら折り形状に形成されているため、リチウムイオン電池構造は、略矩形の発熱板本体に比べて、電流が流れる経路上の断面積を小さくできるとともに、電流が流れる経路の長さを長くできる。このため、リチウムイオン電池構造は、発熱板本体の抵抗値を大きくでき、小さい電流値の電流を効率よく熱エネルギーに変換することができる。
【００１６】
加えて、発熱板本体の展開形状がつづら折り形状に形成されているため、発熱板は、隣接する矩形部において、矩形部を流れる電流の流れの向きを異ならせることができる。このため、リチウムイオン電池構造は、発熱板の矩形部で発生する磁界を、隣接する矩形部間で相殺でき、発熱板に流した電流による磁界の発生をおさえることができる。
【００１７】
これにより、リチウムイオン電池は、正極板と負極板との間における荷電粒子の移動が、ローレンツ力によって阻害されることを防止できる。  
従って、リチウムイオン電池は、つづら折り形状の発熱板によって磁界の発生を抑えて、リチウムイオン電池の充放電と、リチウムイオン電池の昇温とを同時に行うことができる。
【００１８】
この発明の態様として、前記発熱板の前記発熱板本体が、ステンレス箔で構成されたものである。  
この発明により、リチウムイオン電池構造は、例えば、銅製やアルミ合金製の金属箔に比べて高い抵抗値を有するとともに、成形性に優れた安価な発熱板本体を容易に構成することができる。
【発明の効果】
【００１９】
本発明により、リチウムイオン電池の充放電と、リチウムイオン電池の昇温とを同時に行えるリチウムイオン電池構造を提供することができる。
【図面の簡単な説明】
【００２０】
【図１】電池セルにおける内部構成を示す外観斜視図。
【図２】展開状態における発熱板の平面視を示す平面図。
【図３】バッテリ制御装置の構成を示すブロック図。
【図４】予熱制御装置の動作を示すフローチャート。
【図５】発熱板に流れる電流の流れを説明する説明図。
【図６】従来例におけるリチウムイオン電池の内部を示す外観斜視図。
【図７】従来例における発熱板に流れる電流の流れ、及び磁界を説明する説明図。
【発明を実施するための形態】
【００２１】
この発明の一実施形態を以下図面と共に説明する。  
なお、図１はリチウムイオン電池１における内部構成の外観斜視図を示し、図２は展開状態のける発熱板３の平面図を示している。  
また、図中において、矢印Ｘはリチウムイオン電池１の上下方向を示し（以下「上下方向Ｘ」とする）、図中の上側を上方、図中の下側を下方とする。
【００２２】
本実施形態におけるリチウムイオン電池１は、図１に示すように、軸方向となる上下方向Ｘの長さが径方向の長さよりも長い略円柱形状で、上面が正極、下面が負極のリチウムイオン二次電池である。
【００２３】
このリチウムイオン電池１は、図１に示すように、複数の薄膜の積層体を一体的に巻き回した巻回体２と、巻回体２の外周を覆う発熱板３と、発熱板３の外周を覆う絶縁板４と、これらを収容する収容ケース５と、収容ケース５の内部に充填させた電解液（図示省略）とで構成されている。
【００２４】
巻回体２は、図１に示すように、２枚のセパレータ６と、リチウムイオン電池１の負極に接続される負極板７と、リチウムイオン電池１の正極に接続される正極板８とで構成されている。この巻回体２は、セパレータ６、負極板７、セパレータ６、及び正極板８をこの順番で重ね合わせた積層体を、負極板７が径方向外側に位置するように、平面視略渦巻状に巻き回して構成されている。
【００２５】
セパレータ６は、可撓性を有する多孔性薄膜であって、巻き回した状態における周方向に沿った辺を長辺とする略矩形の帯状体に形成されている。このセパレータ６は、リチウムイオンの移動を許容するが、絶縁板として機能する。なお、セパレータ６は、ポリエチレンやポリプロピレンなどの合成樹脂で形成されている。
【００２６】
負極板７は、可撓性、及び導電性を有する薄膜状であって、セパレータ６と略同等の大きさの帯状体に形成されている。この負極板７は、詳細な図示を省略するが、グラファイトなどの活物質を含有するスラリーを、銅製金属箔などの集電体に塗布して形成されている。なお、負極板７は、シート状に展開した展開状態における長辺の一端にリチウムイオン電池１の負極に接続される負極端子（図示省略）を備えている。
【００２７】
正極板８は、可撓性、及び導電性を有する薄膜状であって、セパレータ６、及び負極板７と略同等の大きさの帯状体に形成されている。この正極板８は、詳細な図示を省略するが、コバルト酸リチウムなどの活物質を含有するスラリーを、アルミ製金属箔などの集電体に塗布して形成されている。なお、正極板８は、展開形状における長辺の一端に、リチウムイオン電池１の正極に接続される正極端子（図示省略）を備えている。
【００２８】
また、発熱板３は、巻回体２の外周を覆う大きさで、可撓性を有する発熱板本体３１と、別体で設けた電源装置（図示省略）が収容ケース５を介して電気的に接続される正極端子３２、及び負極端子３３とで構成されている。
【００２９】
発熱板本体３１は、導電性を有するとともに、銅合金やアルミ合金に比べて高い抵抗値を有するステンレス製の薄膜体である。ここで、図２に示すように、発熱板本体３１をシート状に展開した状態において、巻き回される方向、すなわち上下方向Ｘと直交する方向を幅方向Ｙとする。
【００３０】
この発熱板本体３１は、図２に示すように、シート状に展開した展開状態において、上下方向Ｘの長さが巻回体２における上下方向Ｘの長さと略同等で、幅方向Ｙに長い平面視略矩形の帯状体に、幅方向Ｙの一方から延びるスリット開口と、幅方向Ｙの他方から延びるスリット開口とを上下方向Ｘに沿って互い違いに設けたジグザク形状に形成されている。換言すると、発熱板本体３１は、シート状に展開した展開状態における展開形状が、上下方向Ｘに沿ってジグザク状の平面視略つづら折り形状に形成されている。
【００３１】
具体的には、発熱板本体３１は、図２に示すように、展開状態において、上下方向Ｘに所定間隔を隔てて並置された４つの矩形部３１ａと、隣接する矩形部３１ａにおける幅方向Ｙの一端同士を連結する３つの折返し部３１ｂとで一体形成されている。  
４つの矩形部３１ａは、展開状態において、幅方向Ｙに沿った辺を長辺とするとともに、幅方向Ｙの長さが巻回体２の外周長さと略同等の平面視略矩形に形成されている。
【００３２】
この４つの矩形部３１ａのうち、上下方向Ｘにおける最も上方に位置する矩形部３１ａは、別体で設けた電源装置が電気的に接続される正極端子３２を、幅方向Ｙの一端に備えている。さらに、上下方向Ｘにおける最も下方に位置する矩形部３１ａは、別体で設けた電源装置が電気的に接続される負極端子３３を、幅方向Ｙの一端に備えている。
【００３３】
３つの折返し部３１ｂは、図２に示すように、展開状態において、矩形部３１ａにおける上下方向Ｘの長さの１／３程度の上下方向Ｘの長さ、及び幅方向Ｙの長さを有する平面視略矩形に形成されている。
【００３４】
この３つの折返し部３１ｂは、展開状態において、隣接する矩形部３１ａの間に対して、上下方向Ｘに沿って千鳥配置されることで、隣接する矩形部３１ａ同士を連結している。  
これにより、発熱板本体３１は、展開状態において、一端に正極端子３２、他端に負極端子３３を備えるとともに、上下方向Ｘに沿ってジグザクな平面視略つづら折り形状をなしている。
【００３５】
また、絶縁板４は、可撓性、及び絶縁性を有する薄膜状の帯状体に形成されている。この絶縁板４は、巻回体２の外周長さと略同等の長さを有して、巻回体２の外周を覆う大きさに形成されている。なお、絶縁板４は、発熱板３と収容ケース５との間に介在して、発熱板３と収容ケース５との導通を防止している。
【００３６】
また、収容ケース５は、詳細な説明を省略するが、リチウムイオン電池１の外観をなす内部中空で、リチウムイオン電池１の正極となる上面と、リチウムイオン電池１の負極となる下面とを有する略円柱状に形成されている。
【００３７】
さらに、収容ケース５には、上述した発熱板３の正極端子３２が接続されるとともに、別体で設けた電源装置が接続される発熱板用正極端子（図示省略）と、発熱板３の負極端子３３が接続されるとともに、別体で設けた電源装置が接続される発熱板用負極端子（図示省略）とが設けられている。  
また、収容ケース５内に充填される電解液は、例えば、リチウム酸を所定の量だけ溶解させた有機溶媒で構成されている。
【００３８】
次に、上述したリチウムイオン電池１を、例えば、自動車などの車両に搭載される車載バッテリとして用いた際、低温環境下において、リチウムイオン電池１を昇温させるバッテリ制御装置１０、及び車載バッテリの制御方法を、図３から図５を用いて説明する。
【００３９】
なお、図３はバッテリ制御装置１０のブロック図を示し、図４は予熱制御ユニット１４の動作のフローチャートを示し、図５は発熱板３に流れる電流の流れＡを説明する説明図を示している。  
また、図５中において、説明を容易にするために、収容ケース５の図示を省略している。
【００４０】
バッテリ制御装置１０は、例えば、エンジンと駆動用モータとを備えたハイブリッド車両（図示省略）において、上述したリチウムイオン電池１を電池セル１１ａとして用いたリチウムイオンバッテリ１１を制御する装置として搭載されているものとする。
【００４１】
より詳しくは、バッテリ制御装置１０は、図３に示すように、リチウムイオンバッテリ１１と、リチウムイオンバッテリ１１に電気的に接続された駆動用モータ１２と、リチウムイオンバッテリ１１の温度を検出するバッテリ温度センサ１３と、リチウムイオンバッテリ１１を昇温させる予熱制御ユニット１４と、エンジンの始動などに用いられる鉛バッテリ１５と、鉛バッテリ１５に電気的に接続された車載機器１６とで構成されている。
【００４２】
リチウムイオンバッテリ１１は、上述した構成のリチウムイオン電池１を１つの電池セル１１ａとして、複数の電池セル１１ａを直列接続して構成されている。さらに、電池セル１１ａの発熱板３は、直列接続されるとともに、予熱制御ユニット１４を介して鉛バッテリ１５に電気的に接続されている。  
駆動用モータ１２は、リチウムイオンバッテリ１１の電力によって回転駆動する機能と、減速時のエネルギーを電力に変換してリチウムイオンバッテリ１１へ出力する機能とを有している。
【００４３】
バッテリ温度センサ１３は、リチウムイオンバッテリ１１の適宜の位置に装着されるとともに、予熱制御ユニット１４と電気的に接続されたセンサであって、リチウムイオンバッテリ１１の温度を検出する機能と、検出した温度をバッテリ温度信号として予熱制御ユニット１４に出力する機能とを有している。
【００４４】
予熱制御ユニット１４は、ＣＰＵ及びメモリなどをハード構成と、プログラム及びデータなどのソフト構成とで構成されている。この予熱制御ユニット１４は、バッテリ温度センサ１３が出力したバッテリ温度信号に基づいてリチウムイオンバッテリ１１の温度を取得する機能と、電池セル１１ａの発熱板３への電力供給を制御する機能とを有している。  
車載機器１６は、鉛バッテリ１５の電力によって駆動する装置であって、例えば、駆動用モータ１２やエンジンの動作を制御する制御装置、前照灯などの灯火類などとする。
【００４５】
引き続き、上述した構成のバッテリ制御装置１０において、乗員の操作によって車両を使用状態に移行させる始動ボタンが押下された際の予熱制御ユニット１４の動作について、図４を用いて説明する。
【００４６】
乗員の操作によって始動ボタンが押下されると、予熱制御ユニット１４は、その動作を開始して、リチウムイオンバッテリ１１の温度を取得する温度取得処理を開始する（ステップＳ１０１）。この際、予熱制御ユニット１４は、バッテリ温度センサ１３から取得したバッテリ温度信号に基づいて、現在のリチウムイオンバッテリ１１の温度を取得する。
【００４７】
その後、予熱制御ユニット１４は、バッテリ温度が閾値温度以下か否かを判定する（ステップＳ１０２）。なお、閾値温度は、予め定めた所定温度であって、例えば、リチウムイオンバッテリ１１の出力特性が低下する０℃などとする。
【００４８】
バッテリ温度が閾値温度以下であれば（ステップＳ１０２：Ｙｅｓ）、予熱制御ユニット１４は、予熱開始処理を開始して（ステップＳ１０３）、鉛バッテリ１５と、電池セル１１ａの発熱板３とを導通可能にする。
【００４９】
この際、発熱板３が平面視つづら折り形状に形成されているため、発熱体３の矩形部３１ａを流れる電流の流れＡは、図５に示すように、隣接する矩形部３１ａで、その向きが異なることになる。このため、矩形部３１ａで発生する上下方向Ｘに沿った磁界の向きが、隣接する矩形部３１ａ同士で異なることになる。
【００５０】
これにより、矩形部３１ａで発生する上下方向Ｘに沿った磁界が、隣接する矩形部３１ａ同士で打ち消されるため、電池セル１１ａには、発熱板３による磁界が発生し難い。
【００５１】
そして、発熱板３は、ステンレス製の発熱板本体３１が高い抵抗値を有しているため、供給された電力を熱エネルギーに変換するとともに、セパレータ６を介して変換した熱エネルギーを負極板７に伝達させる。このようにして、予熱制御ユニット１４は、発熱板３によって各電池セル１１ａの温度を上昇させることで、リチウムイオンバッテリ１１を昇温させる。
【００５２】
その後、予熱制御ユニット１４は、バッテリ温度が閾値温度以下か否かを判定する（ステップＳ１０４）。なお、閾値温度は、上述したステップＳ１０２の閾値温度と同じとする。  
バッテリ温度が閾値温度以下であれば（ステップＳ１０４：Ｙｅｓ）、バッテリ温度が所望される温度に達していないと判定して、バッテリ温度が閾値温度を上回るまで処理を待機する。
【００５３】
一方、バッテリ温度が閾値温度を上回れば（ステップＳ１０４：Ｎｏ）、予熱制御ユニット１４は、リチウムイオンバッテリ１１の出力特性が改善されたと判定して、予熱終了処理を開始する（ステップＳ１０５）。この際、予熱制御ユニット１４は、鉛バッテリ１５と電池セル１１ａの発熱板３との導通状態を解除して、発熱板３への電力供給を停止する。その後、予熱制御ユニット１４は、処理を終了する。
【００５４】
なお、上述のステップＳ１０２において、バッテリ温度が閾値温度を上回れば（ステップＳ１０２：Ｎｏ）、予熱制御ユニット１４は、リチウムイオンバッテリ１１の昇温が不要と判定して、処理を終了する。
【００５５】
以上のような構成のリチウムイオン電池構造は、リチウムイオン電池１の充放電と、リチウムイオン電池１の昇温とを同時に行うことができる。  
具体的には、発熱板本体３１が高い抵抗値を有するため、発熱板本体３１に電流を流すと、発熱板本体３１は、電流を熱エネルギーに変換して、負極板７を加熱することができる。
【００５６】
さらに、発熱板本体３１がつづら折り形状に形成されているため、リチウムイオン電池構造は、略矩形の発熱板本体に比べて、電流が流れる経路上の断面積を小さくできるとともに、電流が流れる経路の長さを長くできる。このため、リチウムイオン電池構造は、発熱板本体３１の抵抗値を大きくでき、小さい電流値の電流を効率よく熱エネルギーに変換することができる。
【００５７】
加えて、発熱板本体３１の展開形状がつづら折り形状に形成されているため、発熱板３は、隣接する矩形部３１ａにおいて、矩形部３１ａを流れる電流の流れＡの向きを異ならせることができる。このため、リチウムイオン電池構造は、発熱板３の矩形部３１ａで発生する磁界を、隣接する矩形部３１ａ間で相殺でき、発熱板３に流した電流による磁界の発生をおさえることができる。
【００５８】
これにより、リチウムイオン電池１は、正極板８と負極板７との間における荷電粒子の移動が、ローレンツ力によって阻害されることを防止できる。  
従って、リチウムイオン電池１は、つづら折り形状の発熱板３によって磁界の発生を抑えて、リチウムイオン電池１の充放電と、リチウムイオン電池１の昇温とを同時に行うことができる。
【００５９】
また、発熱板３の発熱板本体３１が、ステンレス箔で構成されたことにより、リチウムイオン電池構造は、例えば、銅製やアルミ合金製の金属箔に比べて高い抵抗値を有するとともに、成形性に優れた安価な発熱板本体３１を容易に構成することができる。
【００６０】
この発明の構成と、上述の実施形態との対応において、
この発明のリチウムイオン電池は、実施形態のリチウムイオン電池１、及び電池セル１１ａに対応し、
以下、同様に、
巻き回される方向は、幅方向Ｙに対応するが、
この発明は、上述の実施形態の構成のみに限定されるものではなく、多くの実施の形態を得ることができる。
【００６１】
例えば、上述した実施形態において、略円柱状のリチウムイオン電池１としたが、これに限定せず、略箱型形状のリチウムイオン電池１であってもよい。  
発熱板３の発熱板本体３１を、ステンレス箔としたが、これに限定せず、銅製やアルミ合金製の金属箔に比べて高い抵抗値を有するとともに、可撓性、及び導電性を有する金属製箔であれば、適宜の金属材料であってもよい。
【００６２】
また、セパレータ６を介して負極板７に発熱板３を巻き付けた構成としたが、これに限定せず、セパレータ６、負極板７、及び正極板８とともに、平面視略渦巻状に巻き回してもよい。この際、負極板７側、及び正極板８側にそれぞれ配置した２枚の発熱板３を、セパレータ６、負極板７、及び正極板８とともに巻き回してもよい。
【００６３】
また、４つの矩形部３１ａを有する発熱板本体３１としたが、これに限定せず、矩形部３１ａで発生する磁界を、隣接する矩形部３１ａ同士で打ち消し合うことができれば、適宜の偶数個の矩形部３１ａを有する発熱板本体としてもよい。
【００６４】
また、バッテリ制御装置１０において、予熱制御ユニット１４を介して鉛バッテリ１５から供給された電力によって、電池セル１１ａ（リチウムイオン電池１）の発熱板３を発熱させる構成としたが、これに限定せず、電池セル１１ａ（リチウムイオン電池１）の電力によって発熱体３を発熱させる構成としてもよい。
【００６５】
この際、リチウムイオンバッテリ１１と駆動用モータ１２や車載機器との電気的接続を遮断させてもよい。これにより、放電による昇温と、発熱体３による昇温とで、リチウムイオンバッテリ１１をより短時間で効率よく昇温させることができる。
【産業上の利用可能性】
【００６６】
本発明は、電気機器の電源として用いられるリチウムイオン電池、自動車などの車両の車載バッテリとして用いられるリチウムイオン電池に適用することができる。
【符号の説明】
【００６７】
１…リチウムイオン電池
３…発熱板
６…セパレータ
７…負極板
８…正極板
１１ａ…電池セル
３１…発熱板本体
３１ａ…矩形部
３２…正極端子
３３…負極端子
【図１】
2018147704.tif 000003
【図２】
2018147704.tif 000004
【図３】
2018147704.tif 000005
【図４】
2018147704.tif 000006
【図５】
2018147704.tif 000007
【図６】
2018147704.tif 000008
【図７】
2018147704.tif 000009